(57)【要約】  本発明は、装置間Ｄ２Ｄ通信方法及びＤ２Ｄ装置を開示する。該方法は、第一のＤ２Ｄ装置がデータパケットを生成し、前記データパケットが半静的スケジューリング／半静的伝送（ＳＰＳ／ＳＰＴ）サービスのデータパケットであり、前記データパケットが第一のスケジューリング割り当て（ＳＡ）情報を含み、前記第一のＳＡ情報が前記ＳＰＳ／ＳＰＴサービスの周期情報を含むことと、前記第一のＤ２Ｄ装置が第二のＤ２Ｄ装置へ前記データパケットを送信することとを含む。第一のＤ２Ｄ装置がＳＡ情報にＳＰＳ／ＳＰＴサービスの周期情報を含ませることにより、第二のＤ２Ｄ装置がリソースの使用状況を知り、第二のＤ２Ｄ装置がリソースを自律的に選択する場合におけるＳＰＳ／ＳＰＴサービスの伝送を実現し、複数のＤ２Ｄ装置が同時に同じリソースでＳＰＳ／ＳＰＴサービスデータを伝送することによる衝突の発生を回避する。
2019519950.tif 000002
【特許請求の範囲】
【請求項１】
装置間Ｄ２Ｄ通信方法であって、
第一のＤ２Ｄ装置がデータパケットを生成し、前記データパケットが半静的スケジューリング／半静的伝送（ＳＰＳ／ＳＰＴ）サービスのデータパケットであり、前記データパケットが第一のスケジューリング割り当て（ＳＡ）情報を含み、前記第一のＳＡ情報が前記ＳＰＳ／ＳＰＴサービスの周期情報を含むことと、
前記第一のＤ２Ｄ装置が第二のＤ２Ｄ装置へ前記データパケットを送信することとを含む、装置間Ｄ２Ｄ通信方法。
【請求項２】
前記第一のＳＡ情報はさらに指示情報を含み、前記指示情報が前記ＳＰＳ／ＳＰＴサービスの未伝送データに必要な伝送回数を示すことに用いられることを特徴とする
請求項１に記載の方法。
【請求項３】
前記第一のＳＡ情報はさらに前記ＳＰＳ／ＳＰＴサービスのプロセスＩＤを含むことを特徴とする
請求項１又は２に記載の方法。
【請求項４】
前記プロセスＩＤは前記第一のＤ２Ｄ装置によってランダムに生成されるものであることを特徴とする
請求項３に記載の方法。
【請求項５】
前記周期情報又は前記指示指示情報の所在フィールドはリザーブ値を含み、前記リザーブ値が前記ＳＰＳ／ＳＰＴサービスを終止することを示すことに用いられることを特徴とする
請求項１乃至４のいずれか一項に記載の方法。
【請求項６】
前記第一のＳＡ情報内のリザーブ情報ビットがリザーブ値を含み、前記リザーブ値が前記ＳＰＳ／ＳＰＴサービスを終止することを示すことに用いられることを特徴とする
請求項１乃至４のいずれか一項に記載の方法。
【請求項７】
前記データパケットの送信時点がｔであり、
前記方法はさらに、
前記第一のＤ２Ｄ装置が第一の時点に第二のＳＡ情報を送信し、前記第一の時点が前記送信時点ｔの前のいずれかの時点であり、前記第二のＳＡ情報が前記第一のＤ２Ｄ装置が前記送信時点ｔに前記データパケットを送信しようとすることを示すことに用いられることを特徴とする
請求項１乃至６のいずれか一項に記載の方法。
【請求項８】
前記第一の時点がｔ−ａ時点であり、ａが前記送信時点ｔにデータを送信しようとする第一のＤ２Ｄ装置がリソースプール使用状況の検出を開始する時点であることを特徴とする
請求項７に記載の方法。
【請求項９】
前記周期情報に対応するビッドの値が０である場合、現在の伝送されているサービスが非ＳＰＳ／ＳＰＴサービスであることを示すことを特徴とする
請求項１乃至８に記載の方法。
【請求項１０】
装置間Ｄ２Ｄ通信方法であって、
第二のＤ２Ｄ装置が第一のＤ２Ｄ装置から送信されたデータパケットを受信し、前記データパケットが半静的スケジューリング／半静的伝送（ＳＰＳ／ＳＰＴ）サービスのデータパケットであり、前記データパケットが第一のスケジューリング割り当て（ＳＡ）情報を含み、前記第一のＳＡ情報が前記ＳＰＳ／ＳＰＴサービスの周期情報を含むことと、
前記第二のＤ２Ｄ装置が前記データパケットから前記第一のＳＡ情報を取得することと、
前記第二のＤ２Ｄ装置が前記第一のＳＡ情報から前記ＳＰＳ／ＳＰＴサービスの周期情報を取得することとを含む、装置間Ｄ２Ｄ通信方法。
【請求項１１】
前記第一のＳＡ情報はさらに指示情報を含み、前記指示情報が前記ＳＰＳ／ＳＰＴサービスの未伝送データに必要な伝送回数を示すことに用いられることを特徴とする
請求項１０に記載の方法。
【請求項１２】
前記第一のＳＡ情報はさらに前記ＳＰＳ／ＳＰＴサービスのプロセスＩＤを含むことを特徴とする
請求項１０又は１１に記載の方法。
【請求項１３】
前記プロセスＩＤは前記第一のＤ２Ｄ装置によってランダムに生成されるものであることを特徴とする
請求項１２に記載の方法。
【請求項１４】
前記周期情報又は前記指示指示情報の所在フィールドはリザーブ値を含み、前記リザーブ値が前記ＳＰＳ／ＳＰＴサービスを終止することを示すことに用いられることを特徴とする
請求項１０乃至１３のいずれか一項に記載の方法。
【請求項１５】
前記第一のＳＡ情報内のリザーブ情報ビットがリザーブ値を含み、前記リザーブ値が前記ＳＰＳ／ＳＰＴサービスを終止することを示すことに用いられることを特徴とする
請求項１０乃至１３のいずれか一項に記載の方法。
【請求項１６】
前記データパケットの送信時点がｔであり、
前記方法はさらに、
前記第二のＤ２Ｄ装置が前記第一のＤ２Ｄ装置によって第一の時点に送信された第二のＳＡ情報を受信し、前記第一の時点が前記送信時点ｔの前のいずれかの時点であり、前記第二のＳＡ情報が前記第一のＤ２Ｄ装置が前記送信時点ｔに前記データパケットを送信しようとすることを示すことに用いられることを含むことを特徴とする
請求項１０乃至１５のいずれか一項に記載の方法。
【請求項１７】
前記第一の時点がｔ−ａ時点であり、ａが前記送信時点ｔにデータを送信しようとする第一のＤ２Ｄ装置がリソースプール使用状況の検出を開始する時点であることを特徴とする
請求項１６に記載の方法。
【請求項１８】
前記周期情報に対応するビッドの値が０である場合、現在の伝送されているサービスが非ＳＰＳ／ＳＰＴサービスであることを示すことを特徴とする
請求項１０乃至１７のいずれか一項に記載の方法。
【請求項１９】
装置間Ｄ２Ｄ装置であって、前記Ｄ２Ｄ装置は第一のＤ２Ｄ装置であり、
データパケットを生成するように構成され、前記データパケットが半静的スケジューリング／半静的伝送（ＳＰＳ／ＳＰＴ）サービスのデータパケットであり、前記データパケットが第一のスケジューリング割り当て（ＳＡ）情報を含み、前記第一のＳＡ情報が前記ＳＰＳ／ＳＰＴサービスの周期情報を含む生成モジュールと、
前記生成モジュールによって生成された前記データパケットを第二のＤ２Ｄ装置へ送信するように構成される第一の送信モジュールとを備える、装置間Ｄ２Ｄ装置。
【請求項２０】
前記第一のＳＡ情報はさらに指示情報を含み、前記指示情報が前記ＳＰＳ／ＳＰＴサービスの未伝送データに必要な伝送回数を示すことに用いられることを特徴とする
請求項１９に記載のＤ２Ｄ装置。
【請求項２１】
前記第一のＳＡ情報はさらに前記ＳＰＳ／ＳＰＴサービスのプロセスＩＤを含むことを特徴とする
請求項１９又は２０に記載のＤ２Ｄ装置。
【請求項２２】
前記プロセスＩＤは前記Ｄ２Ｄ装置によってランダムに生成されるものであることを特徴とする
請求項２１に記載のＤ２Ｄ装置。
【請求項２３】
前記周期情報又は前記指示指示情報の所在フィールドはリザーブ値を含み、前記リザーブ値が前記ＳＰＳ／ＳＰＴサービスを終止することを示すことに用いられることを特徴とする
請求項１９乃至２２のいずれか一項に記載のＤ２Ｄ装置。
【請求項２４】
前記第一のＳＡ情報内のリザーブ情報ビットがリザーブ値を含み、前記リザーブ値が前記ＳＰＳ／ＳＰＴサービスを終止することを示すことに用いられることを特徴とする
請求項１９乃至２２のいずれか一項に記載のＤ２Ｄ装置。
【請求項２５】
前記データパケットの送信時点がｔであり、
前記Ｄ２Ｄ装置はさらに、
第一の時点に第二のＳＡ情報を送信するように構成され、前記第一の時点が前記送信時点ｔの前のいずれかの時点であり、前記第二のＳＡ情報が前記第一のＤ２Ｄ装置が前記送信時点ｔに前記データパケットを送信しようとすることを示すことに用いられる第二の送信モジュールを備えることを特徴とする
請求項１９乃至２４のいずれか一項に記載のＤ２Ｄ装置。
【請求項２６】
前記第一の時点がｔ−ａ時点であり、ａが前記送信時点ｔにデータを送信しようとする第一のＤ２Ｄ装置がリソースプール使用状況の検出を開始する時点であることを特徴とする
請求項２５に記載のＤ２Ｄ装置。
【請求項２７】
前記周期情報に対応するビッドの値が０である場合、現在の伝送されているサービスが非ＳＰＳ／ＳＰＴサービスであることを示すことを特徴とする
請求項１９乃至２６のいずれか一項に記載のＤ２Ｄ装置。
【請求項２８】
装置間Ｄ２Ｄ装置であって、前記Ｄ２Ｄ装置は第二のＤ２Ｄ装置であり、
第一のＤ２Ｄ装置から送信されたデータパケットを受信するように構成され、前記データパケットが半静的スケジューリング／半静的伝送（ＳＰＳ／ＳＰＴ）サービスのデータパケットであり、前記データパケットが第一のスケジューリング割り当て（ＳＡ）情報を含み、前記第一のＳＡ情報が前記ＳＰＳ／ＳＰＴサービスの周期情報を含む第一の受信モジュールと、
前記第一の受信モジュールによって受信された前記データパケットから前記第一のＳＡ情報を取得するように構成される第一の取得モジュールと、
前記第一の取得モジュールによって取得された前記第一のＳＡ情報から前記ＳＰＳ／ＳＰＴサービスの周期情報を取得するように構成される第二の取得モジュールとを備える、装置間Ｄ２Ｄ装置。
【請求項２９】
前記第一のＳＡ情報はさらに指示情報を含み、前記指示情報が前記ＳＰＳ／ＳＰＴサービスの未伝送データに必要な伝送回数を示すことに用いられることを特徴とする
請求項２８に記載のＤ２Ｄ装置。
【請求項３０】
前記第一のＳＡ情報はさらに前記ＳＰＳ／ＳＰＴサービスのプロセスＩＤを含むことを特徴とする
請求項２８又は２９に記載のＤ２Ｄ装置。
【請求項３１】
前記プロセスＩＤは前記第一のＤ２Ｄ装置によってランダムに生成されるものであることを特徴とする
請求項３０に記載のＤ２Ｄ装置。
【請求項３２】
前記周期情報又は前記指示指示情報の所在フィールドはリザーブ値を含み、前記リザーブ値が前記ＳＰＳ／ＳＰＴサービスを終止することを示すことに用いられることを特徴とする
請求項２８乃至３１のいずれか一項に記載のＤ２Ｄ装置。
【請求項３３】
前記第一のＳＡ情報内のリザーブ情報ビットがリザーブ値を含み、前記リザーブ値が前記ＳＰＳ／ＳＰＴサービスを終止することを示すことに用いられることを特徴とする
請求項２８乃至３１のいずれか一項に記載のＤ２Ｄ装置。
【請求項３４】
前記データパケットの送信時点がｔであり、
前記Ｄ２Ｄ装置はさらに、
前記第一のＤ２Ｄ装置によって第一の時点に送信された第二のＳＡ情報を受信するように構成され、前記第一の時点が前記送信時点ｔの前のいずれかの時点であり、前記第二のＳＡ情報が前記第一のＤ２Ｄ装置が前記送信時点ｔに前記データパケットを送信しようとすることを示すことに用いられる第二の受信モジュールを備えることを特徴とする
請求項２８乃至３３のいずれか一項に記載のＤ２Ｄ装置。
【請求項３５】
前記第一の時点がｔ−ａ時点であり、ａが前記送信時点ｔにデータを送信しようとする第一のＤ２Ｄ装置がリソースプール使用状況の検出を開始する時点であることを特徴とする
請求項３４に記載のＤ２Ｄ装置。
【請求項３６】
前記周期情報に対応するビッドの値が０である場合、現在の伝送されているサービスが非ＳＰＳ／ＳＰＴサービスであることを示すことを特徴とする
請求項２８乃至３５のいずれか一項に記載のＤ２Ｄ装置。
【発明の詳細な説明】
【技術分野】
【０００１】
本発明の実施例は無線通信分野に関し、且つより具体的には、装置間（Ｄ２Ｄ：Ｄｅｖｉｃｅ  ｔｏ  Ｄｅｖｉｃｅ）通信方法とＤ２Ｄ装置に関する。
【背景技術】
【０００２】
第５世代の携帯電話移動通信規格（５Ｇ：５−Ｇｅｎｅｒａｔｉｏｎ）向けの無線通信技術の進化において、従来の無線通信性能指標、例えばネットワーク容量、スペクトル効率などは、継続的に向上し、限られ、しかもますます不足になっている無線スペクトルの利用率をさらに高める必要があり、一方で、より豊かな通信方式及びこれによってもたらす端末のユーザエクスペリエンスの向上及びセルラー通信アプリケーションの拡張も考慮すべき進化方向である。５Ｇ向けの重要な候補技術として、Ｄ２Ｄ通信はシステム性能の改善、ユーザエクスペリエンスの向上、セルラー通信アプリケーションの拡張において、将来性が期待され、広く注目されている。
【０００３】
Ｄ２Ｄ通信が装置間直接通信技術であり、従来のセルラー通信技術と比べ、Ｄ２Ｄ装置とＤ２Ｄ装置は基地局の中継を必要とせずに通信とデータ伝送を直接行うことができ、ＰＣ５インタフェースに基づく通信と呼ばれる。ＰＣ５インタフェースに基づく通信方式において、Ｄ２装置は２つの動作モードがあり、モード１で、Ｄ２Ｄ装置間通信に使用されるリソースは完全に基地局によって割り当てられ、モード２で、Ｄ２Ｄ装置はリソースを自律的に選択することができる。
【０００４】
半静的スケジューリング（ＳＰＳ：Ｓｅｍｉ−Ｐｅｒｓｉｓｔｅｎｔ−Ｓｃｈｅｄｕｌｉｎｇ）方式は、ロングタームエボリューション（ＬＴＥ：Ｌｏｎｇ  Ｔｅｒｍ  Ｅｖｏｌｕｔｉｏｎ）のスケジューリング伝送中に、基地局が端末に周期的な半静的リソースを割り当てることを指しており、これにより、端末が周期的に同じ無線リソースでサービスデータの送信及び受信を行うことができる。この場合、ＳＰＳは半静的伝送（ＳＰＴ：Ｓｅｍｉ  −Ｐｅｒｓｉｓｔｅｎｔ  −Ｔｒａｎｓｍｉｓｓｉｏｎ）を利用することが可能であり、即ち周期的に半静的リソースで伝送することができる。ＳＰＳ／ＳＰＴ方式は、基地局によって活性化（起動）又は解放（停止）されてもよく、端末がＳＰＳ／ＳＰＴ方式で動作する場合、基地局は端末のＳＰＳ／ＳＰＴサービスの周期と使用されたリソースを調整することもできる。
【０００５】
Ｄ２Ｄ通信にＳＰＳ／ＳＰＴ方式を導入すれば、モード１で動作するＤ２Ｄ装置は、基地局によって該Ｄ２Ｄ装置にリソースを割り当てることができる。しかし、モード２で動作するＤ２Ｄ装置に対して、Ｄ２Ｄ装置がリソースを自律的に選択してデータを伝送することができるため、基地局がリソースのスケジューリングに関与せず、この場合、Ｄ２Ｄ装置が他のＤ２Ｄ装置のリソースの使用状況を取得することができないため、他のＤ２Ｄ装置と同じリソースを使用してデータを伝送する可能性があり、それによって衝突が発生する。
【発明の概要】
【発明が解決しようとする課題】
【０００６】
本出願は、Ｄ２Ｄ装置（第二のＤ２Ｄ装置であってもよい）がリソースを自律的に選択する場合、他のＤ２Ｄ装置（第一のＤ２Ｄ装置であってもよい）のリソース使用状況を知ることができないという問題を解決するために、Ｄ２Ｄ通信方法とＤ２Ｄ装置を提供する。
【課題を解決するための手段】
【０００７】
第一の態様では、本出願がＤ２Ｄ通信方法を提供し、前記方法は、第一のＤ２Ｄ装置がデータパケットを生成し、前記データパケットがＳＰＳ／ＳＰＴサービスのデータパケットであり、前記データパケットが第一のスケジューリング割り当て（ＳＡ）情報を含み、前記第一のＳＡ情報が前記ＳＰＳ／ＳＰＴサービスの周期情報を含むことと、前記第一のＤ２Ｄ装置が第二のＤ２Ｄ装置へ前記データパケットを送信することとを含む。
【０００８】
第一のＤ２Ｄ装置がＳＡ情報にＳＰＳ／ＳＰＴサービスの周期情報を含ませることにより、第二のＤ２Ｄ装置がリソースの使用状況を知り、第二のＤ２Ｄ装置がリソースを自律的に選択する場合におけるＳＰＳ／ＳＰＴサービスの伝送を実現し、複数のＤ２Ｄ装置が同時に同じリソースでＳＰＳ／ＳＰＴサービスデータを伝送することによる衝突の発生を回避する。
【０００９】
第一の態様と組み合わせ、第一の態様の一つの可能な実施形態では、前記第一のＳＡ情報はさらに指示情報を含み、前記指示情報が前記ＳＰＳ／ＳＰＴサービスの未伝送データに必要な伝送回数を示すことに用いられる。
【００１０】
第一のＤ２Ｄ装置がＳＡ情報に指示情報を含ませることにより、第二のＤ２Ｄ装置はＳＰＳ／ＳＰＴサービスの未伝送データに必要な伝送回数を知り、該ＳＰＳ／ＳＰＴサービスを伝送するためのリソースのより詳細な使用状況を確定することができるようになる。
【００１１】
第一の態様又はその上記の実施形態のいずれかと組み合わせ、第一の態様の一つの可能な実施形態では、前記第一のＳＡ情報はさらに前記ＳＰＳ／ＳＰＴサービスのプロセスＩＤを含む。
【００１２】
第一のＤ２Ｄ装置がＳＡ情報にＳＰＳ／ＳＰＴサービスのプロセスＩＤを含ませることにより、第二のＤ２Ｄ装置はＳＰＳ／ＳＰＴパラメータ（例えばＳＰＳ／ＳＰＴサービスの周期とＳＰＳ／ＳＰＴサービスの未伝送データに必要な伝送回数など）をＳＰＳ／ＳＰＴサービスに対応させ、リソースの使用状況を知る正確率を向上させることができる。
【００１３】
第一の態様又はその上記の実施形態のいずれかと組み合わせ、第一の態様の一つの可能な実施形態では、前記プロセスＩＤは前記第一のＤ２Ｄ装置によってランダムに生成される。
【００１４】
異なる第一のＤ２Ｄ装置の異なるＳＰＳ／ＳＰＴサービスが同じプロセスＩＤを使用する確率を低減させ、第二のＤ２Ｄ装置が上記ＳＰＳ／ＳＰＴパラメータをＳＰＳ／ＳＰＴサービスに対応させる正確率を向上させることができるように、上記プロセスＩＤは第一のＤ２Ｄ装置によってランダムに生成されてもよい。
【００１５】
第一の態様又はその上記の実施形態のいずれかと組み合わせ、第一の態様の一つの可能な実施形態では、前記周期情報又は前記指示指示情報の所在フィールドはリザーブ値を含み、前記リザーブ値が前記ＳＰＳ／ＳＰＴサービスを終止することを示すことに用いられる。
【００１６】
周期情報又は指示指示情報の所在フィールドにリザーブ値を追加することにより、第二のＤ２Ｄ装置は現在のＳＰＳ／ＳＰＴサービスを終止するか否かを知り、さらに該ＳＰＳ／ＳＰＴサービスを伝送するためのリソースの使用状況を知ることができる。
【００１７】
第一の態様又はその上記の実施形態のいずれかと組み合わせ、第一の態様の一つの可能な実施形態では、前記第一のＳＡ情報内のリザーブ情報ビットがリザーブ値を含み、前記リザーブ値が前記ＳＰＳ／ＳＰＴサービスを終止することを示すことに用いられる。
【００１８】
前記第一のＳＡ情報内のリザーブ情報ビットにリザーブ値を追加することにより、第二のＤ２Ｄ装置は現在のＳＰＳ／ＳＰＴサービスを終止するか否かを知り、さらに該ＳＰＳ／ＳＰＴサービスを伝送するためのリソースの使用状況を知ることができる。
【００１９】
第一の態様又はその上記の実施形態のいずれかと組み合わせ、第一の態様の一つの可能な実施形態では、前記データパケットの送信時点がｔであり、前記方法はさらに、前記第一のＤ２Ｄ装置が第一の時点に第二のＳＡ情報を送信し、前記第一の時点が前記送信時点ｔの前のいずれかの時点であり、前記第二のＳＡ情報が前記第一のＤ２Ｄ装置が前記送信時点ｔに前記データパケットを送信しようとすることを示すことに用いられる。
【００２０】
第一のＤ２Ｄ装置が第一の時点に第二のＳＡ情報を送信することにより、該リソースプールに新しく加入する他のＤ２Ｄ装置（上記第二のＤ２Ｄ装置であってもよい）はリソースの使用状況を正確に知ることができる。
【００２１】
第一の態様又はその上記の実施形態のいずれかと組み合わせ、第一の態様の一つの可能な実施形態では、前記第一の時点がｔ−ａ時点であり、ａが前記送信時点ｔにデータを送信しようとする第一のＤ２Ｄ装置がリソースプール使用状況の検出を開始する時点である。
【００２２】
第一のＤ２Ｄ装置がｔ−ａ時点に第二のＳＡ情報を送信することにより、該リソースプールに新しく加入する他のＤ２Ｄ装置（上記第二のＤ２Ｄ装置であってもよい）はリソースの使用状況を正確に知ることができる。
【００２３】
第一の態様又はその上記の実施形態のいずれかと組み合わせ、第一の態様の一つの可能な実施形態では、前記周期情報に対応するビッドの値が０である場合、現在の伝送されているサービスが非ＳＰＳ／ＳＰＴサービスであることを示す。
【００２４】
周期情報に対応するビッドの値が０である場合、現在の伝送されているサービスが非ＳＰＳ／ＳＰＴサービスであることを示すことにより、第二のＤ２Ｄ装置は第一のＤ２Ｄ装置が伝送する現在のサービスがＳＰＳ／ＳＰＴサービスであるか否かを知り、リソースの使用状況をより具体的に知ることができる。
【００２５】
第二の態様では、本出願がＤ２Ｄ通信方法を提供し、前記方法は、第二のＤ２Ｄ装置が第一のＤ２Ｄ装置から送信されたデータパケットを受信し、前記データパケットが半静的スケジューリング／半静的伝送（ＳＰＳ／ＳＰＴ）サービスのデータパケットであり、前記データパケットが第一のスケジューリング割り当て（ＳＡ）情報を含み、前記第一のＳＡ情報が前記ＳＰＳ／ＳＰＴサービスの周期情報を含むことと、前記第二のＤ２Ｄ装置が前記データパケットから前記第一のＳＡ情報を取得することと、前記第二のＤ２Ｄ装置が前記第一のＳＡ情報から前記ＳＰＳ／ＳＰＴサービスの周期情報を取得することとを含む。
【００２６】
第一のＤ２Ｄ装置がＳＡ情報にＳＰＳ／ＳＰＴサービスの周期情報を含ませることにより、第二のＤ２Ｄ装置がリソースの使用状況を知り、第二のＤ２Ｄ装置がリソースを自律的に選択する場合におけるＳＰＳ／ＳＰＴサービスの伝送を実現し、複数のＤ２Ｄ装置が同時に同じリソースでＳＰＳ／ＳＰＴサービスデータを伝送することによる衝突の発生を回避する。
【００２７】
第二の態様と組み合わせ、第二の態様の一つの可能な実施形態では、前記第一のＳＡ情報はさらに指示情報を含み、前記指示情報が前記ＳＰＳ／ＳＰＴサービスの未伝送データに必要な伝送回数を示すことに用いられる。
【００２８】
第一のＤ２Ｄ装置がＳＡ情報に指示情報を含ませることにより、第二のＤ２Ｄ装置はＳＰＳ／ＳＰＴサービスの未伝送データに必要な伝送回数を知り、該ＳＰＳ／ＳＰＴサービスを伝送するためのリソースのより詳細な使用状況を確定することができるようになる。
【００２９】
第二の態様又はその上記の実施形態のいずれかと組み合わせ、第二の態様の一つの可能な実施形態では、前記第一のＳＡ情報はさらに前記ＳＰＳ／ＳＰＴサービスのプロセスＩＤを含む。
【００３０】
第一のＤ２Ｄ装置がＳＡ情報にＳＰＳ／ＳＰＴサービスのプロセスＩＤを含ませることにより、第二のＤ２Ｄ装置はＳＰＳ／ＳＰＴパラメータ（例えばＳＰＳ／ＳＰＴサービスの周期とＳＰＳ／ＳＰＴサービスの未伝送データに必要な伝送回数など）をＳＰＳ／ＳＰＴサービスに対応させ、リソースの使用状況を知る正確率を向上させることができる。
【００３１】
第二の態様又はその上記の実施形態のいずれかと組み合わせ、第二の態様の一つの可能な実施形態では、前記プロセスＩＤは前記第一のＤ２Ｄ装置によってランダムに生成される。
【００３２】
異なる第一のＤ２Ｄ装置の異なるＳＰＳ／ＳＰＴサービスが同じプロセスＩＤを使用する確率を低減させ、第二のＤ２Ｄ装置が上記ＳＰＳ／ＳＰＴパラメータをＳＰＳ／ＳＰＴサービスに対応させる正確率を向上させるように、上記プロセスＩＤは第一のＤ２Ｄ装置によってランダムに生成されてもよい。
【００３３】
第二の態様又はその上記の実施形態のいずれかと組み合わせ、第二の態様の一つの可能な実施形態では、前記周期情報又は前記指示指示情報の所在フィールドはリザーブ値を含み、前記リザーブ値が前記ＳＰＳ／ＳＰＴサービスを終止することを示すことに用いられる。
【００３４】
周期情報又は指示指示情報の所在フィールドにリザーブ値を追加することにより、第二のＤ２Ｄ装置は現在のＳＰＳ／ＳＰＴサービスを終止するか否かを知り、さらに該ＳＰＳ／ＳＰＴサービスを伝送するためのリソースの使用状況を知ることができる。
【００３５】
第二の態様又はその上記の実施形態のいずれかと組み合わせ、第二の態様の一つの可能な実施形態では、前記第一のＳＡ情報内のリザーブ情報ビットがリザーブ値を含み、前記リザーブ値が前記ＳＰＳ／ＳＰＴサービスを終止することを示すことに用いられる。
【００３６】
前記第一のＳＡ情報内のリザーブ情報ビットにリザーブ値を追加することにより、第二のＤ２Ｄ装置は現在のＳＰＳ／ＳＰＴサービスを終止するか否かを知り、さらに該ＳＰＳ／ＳＰＴサービスを伝送するためのリソースの使用状況を知ることができる。
【００３７】
第二の態様又はその上記の実施形態のいずれかと組み合わせ、第二の態様の一つの可能な実施形態では、前記データパケットの送信時点がｔであり、前記方法はさらに、前記第二のＤ２Ｄ装置が前記第一のＤ２Ｄ装置によって第一の時点に送信された第二のＳＡ情報を受信し、前記第一の時点が前記送信時点ｔの前のいずれかの時点であり、前記第二のＳＡ情報が前記第一のＤ２Ｄ装置が前記送信時点ｔに前記データパケットを送信しようとすることを示すことに用いられることを含む。
【００３８】
第一のＤ２Ｄ装置が第一の時点に第二のＳＡ情報を送信することにより、該リソースプールに新しく加入する他のＤ２Ｄ装置（上記第二のＤ２Ｄ装置であってもよい）はリソースの使用状況を正確に知ることができる。
【００３９】
第二の態様又はその上記の実施形態のいずれかと組み合わせ、第二の態様の一つの可能な実施形態では、前記第一の時点がｔ−ａ時点であり、ａが前記送信時点ｔにデータを送信しようとする第一のＤ２Ｄ装置がリソースプール使用状況の検出を開始する時点である。
【００４０】
第一のＤ２Ｄ装置がｔ−ａ時点に第二のＳＡ情報を送信することにより、該リソースプールに新しく加入する他のＤ２Ｄ装置（上記第二のＤ２Ｄ装置であってもよい）はリソースの使用状況を正確に知ることができる。
【００４１】
第二の態様又はその上記の実施形態のいずれかと組み合わせ、第二の態様の一つの可能な実施形態では、前記周期情報に対応するビッドの値が０である場合、現在の伝送されているサービスが非ＳＰＳ／ＳＰＴサービスであることを示す。
【００４２】
周期情報に対応するビッドの値が０である場合、現在の伝送されているサービスが非ＳＰＳ／ＳＰＴサービスであることを示すことにより、第二のＤ２Ｄ装置は第一のＤ２Ｄ装置が伝送する現在のサービスがＳＰＳ／ＳＰＴサービスであるか否かを知り、リソースの使用状況をより具体的に知ることができる。
【００４３】
第三の態様では、本出願がＤ２Ｄ装置を提供し、前記Ｄ２Ｄ装置は第一のＤ２Ｄ装置であり、データパケットを生成するように構成され、前記データパケットが半静的スケジューリング／半静的伝送（ＳＰＳ／ＳＰＴ）サービスのデータパケットであり、前記データパケットが第一のスケジューリング割り当て（ＳＡ）情報を含み、前記第一のＳＡ情報が前記ＳＰＳ／ＳＰＴサービスの周期情報を含む生成モジュールと、第二のＤ２Ｄ装置へ前記データパケットを送信するように構成される第一の送信モジュールとを備える。
【００４４】
第一のＤ２Ｄ装置がＳＡ情報にＳＰＳ／ＳＰＴサービスの周期情報を含ませることにより、第二のＤ２Ｄ装置がリソースの使用状況を知り、第二のＤ２Ｄ装置がリソースを自律的に選択する場合におけるＳＰＳ／ＳＰＴサービスの伝送を実現し、複数のＤ２Ｄ装置が同時に同じリソースでＳＰＳ／ＳＰＴサービスデータを伝送することによる衝突の発生を回避する。
【００４５】
第三の態様と組み合わせ、第三の態様の一つの可能な実施形態では、前記第一のＳＡ情報はさらに指示情報を含み、前記指示情報が前記ＳＰＳ／ＳＰＴサービスの未伝送データに必要な伝送回数を示すことに用いられる。
【００４６】
第一のＤ２Ｄ装置がＳＡ情報に指示情報を含ませることにより、第二のＤ２Ｄ装置はＳＰＳ／ＳＰＴサービスの未伝送データに必要な伝送回数を知り、該ＳＰＳ／ＳＰＴサービスを伝送するためのリソースのより詳細な使用状況を確定することができるようになる。
【００４７】
第三の態様又はその上記の実施形態のいずれかと組み合わせ、第三の態様の一つの可能な実施形態では、前記第一のＳＡ情報はさらに前記ＳＰＳ／ＳＰＴサービスのプロセスＩＤを含む。
【００４８】
第一のＤ２Ｄ装置がＳＡ情報にＳＰＳ／ＳＰＴサービスのプロセスＩＤを含ませることにより、第二のＤ２Ｄ装置はＳＰＳ／ＳＰＴパラメータ（例えばＳＰＳ／ＳＰＴサービスの周期とＳＰＳ／ＳＰＴサービスの未伝送データに必要な伝送回数など）をＳＰＳ／ＳＰＴサービスに対応させ、リソースの使用状況を知る正確率を向上させることができる。
【００４９】
第三の態様又はその上記の実施形態のいずれかと組み合わせ、第三の態様の一つの可能な実施形態では、前記プロセスＩＤは前記第一のＤ２Ｄ装置によってランダムに生成される。
【００５０】
異なる第一のＤ２Ｄ装置の異なるＳＰＳ／ＳＰＴサービスが同じプロセスＩＤを使用する確率を低減させ、第二のＤ２Ｄ装置が上記ＳＰＳ／ＳＰＴパラメータをＳＰＳ／ＳＰＴサービスに対応させる正確率を向上させるように、上記プロセスＩＤは第一のＤ２Ｄ装置によってランダムに生成されてもよい。
【００５１】
第三の態様又はその上記の実施形態のいずれかと組み合わせ、第三の態様の一つの可能な実施形態では、前記周期情報又は前記指示指示情報の所在フィールドはリザーブ値を含み、前記リザーブ値が前記ＳＰＳ／ＳＰＴサービスを終止することを示すことに用いられる。
【００５２】
周期情報又は指示指示情報の所在フィールドにリザーブ値を追加することにより、第二のＤ２Ｄ装置は現在のＳＰＳ／ＳＰＴサービスを終止するか否かを知り、さらに該ＳＰＳ／ＳＰＴサービスを伝送するためのリソースの使用状況を知ることができる。
【００５３】
第三の態様又はその上記の実施形態のいずれかと組み合わせ、第三の態様の一つの可能な実施形態では、前記第一のＳＡ情報内のリザーブ情報ビットがリザーブ値を含み、前記リザーブ値が前記ＳＰＳ／ＳＰＴサービスを終止することを示すことに用いられる。
【００５４】
前記第一のＳＡ情報内のリザーブ情報ビットにリザーブ値を追加することにより、第二のＤ２Ｄ装置は現在のＳＰＳ／ＳＰＴサービスを終止するか否かを知り、さらに該ＳＰＳ／ＳＰＴサービスを伝送するためのリソースの使用状況を知ることができる。
【００５５】
第三の態様又はその上記の実施形態のいずれかと組み合わせ、第三の態様の一つの可能な実施形態では、前記データパケットの送信時点がｔであり、前記Ｄ２Ｄ装置はさらに、第一の時点に第二のＳＡ情報を送信するように構成され、前記第一の時点が前記送信時点ｔの前のいずれかの時点であり、前記第二のＳＡ情報が前記第一のＤ２Ｄ装置が前記送信時点ｔに前記データパケットを送信しようとすることを示すことに用いられる第二の送信モジュールを備える。
【００５６】
第一のＤ２Ｄ装置が第一の時点に第二のＳＡ情報を送信することにより、該リソースプールに新しく加入する他のＤ２Ｄ装置（上記第二のＤ２Ｄ装置であってもよい）はリソースの使用状況を正確に知ることができる。
【００５７】
第三の態様又はその上記の実施形態のいずれかと組み合わせ、第三の態様の一つの可能な実施形態では、前記第一の時点がｔ−ａ時点であり、ａが前記送信時点ｔにデータを送信しようとする第一のＤ２Ｄ装置がリソースプール使用状況の検出を開始する時点である。
【００５８】
第一のＤ２Ｄ装置がｔ−ａ時点に第二のＳＡ情報を送信することにより、該リソースプールに新しく加入する他のＤ２Ｄ装置（上記第二のＤ２Ｄ装置であってもよい）はリソースの使用状況を正確に知ることができる。
【００５９】
第三の態様又はその上記の実施形態のいずれかと組み合わせ、第三の態様の一つの可能な実施形態では、前記周期情報に対応するビッドの値が０である場合、現在の伝送されているサービスが非ＳＰＳ／ＳＰＴサービスであることを示す。
【００６０】
周期情報に対応するビッドの値が０である場合、現在の伝送されているサービスが非ＳＰＳ／ＳＰＴサービスであることを示すことにより、第二のＤ２Ｄ装置は第一のＤ２Ｄ装置が伝送する現在のサービスがＳＰＳ／ＳＰＴサービスであるか否かを知り、リソースの使用状況をより具体的に知ることができる。
【００６１】
第四の態様では、本出願がＤ２Ｄ装置を提供し、前記Ｄ２Ｄ装置は第二のＤ２Ｄ装置であり、第一のＤ２Ｄ装置から送信されたデータパケットを受信するように構成され、前記データパケットが半静的スケジューリング／半静的伝送（ＳＰＳ／ＳＰＴ）サービスのデータパケットであり、前記データパケットが第一のスケジューリング割り当て（ＳＡ）情報を含み、前記第一のＳＡ情報が前記ＳＰＳ／ＳＰＴサービスの周期情報を含む第一の受信モジュールと、前記第一の受信モジュールによって受信された前記データパケットから前記第一のＳＡ情報を取得するように構成される第一の取得モジュールと、前記第一の取得モジュールによって取得された前記第一のＳＡ情報から前記ＳＰＳ／ＳＰＴサービスの周期情報を取得するように構成される第二の取得モジュールとを備える。
【００６２】
第一のＤ２Ｄ装置がＳＡ情報にＳＰＳ／ＳＰＴサービスの周期情報を含ませることにより、第二のＤ２Ｄ装置がリソースの使用状況を知り、第二のＤ２Ｄ装置がリソースを自律的に選択する場合におけるＳＰＳ／ＳＰＴサービスの伝送を実現し、複数のＤ２Ｄ装置が同時に同じリソースでＳＰＳ／ＳＰＴサービスデータを伝送することによる衝突の発生を回避する。
【００６３】
第四の態様と組み合わせ、第四の態様の一つの可能な実施形態では、前記第一のＳＡ情報はさらに指示情報を含み、前記指示情報が前記ＳＰＳ／ＳＰＴサービスの未伝送データに必要な伝送回数を示すことに用いられる。
【００６４】
第一のＤ２Ｄ装置がＳＡ情報に指示情報を含ませることにより、第二のＤ２Ｄ装置はＳＰＳ／ＳＰＴサービスの未伝送データに必要な伝送回数を知り、該ＳＰＳ／ＳＰＴサービスを伝送するためのリソースのより詳細な使用状況を確定することができるようになる。
【００６５】
第四の態様又はその上記の実施形態のいずれかと組み合わせ、第四の態様の一つの可能な実施形態では、前記第一のＳＡ情報はさらに前記ＳＰＳ／ＳＰＴサービスのプロセスＩＤを含む。
【００６６】
第一のＤ２Ｄ装置がＳＡ情報にＳＰＳ／ＳＰＴサービスのプロセスＩＤを含ませることにより、第二のＤ２Ｄ装置はＳＰＳ／ＳＰＴパラメータ（例えばＳＰＳ／ＳＰＴサービスの周期とＳＰＳ／ＳＰＴサービスの未伝送データに必要な伝送回数など）をＳＰＳ／ＳＰＴサービスに対応させ、リソースの使用状況を知る正確率を向上させることができる。
【００６７】
第四の態様又はその上記の実施形態のいずれかと組み合わせ、第四の態様の一つの可能な実施形態では、前記プロセスＩＤは前記第一のＤ２Ｄ装置によってランダムに生成される。
【００６８】
異なる第一のＤ２Ｄ装置の異なるＳＰＳ／ＳＰＴサービスが同じプロセスＩＤを使用する確率を低減させ、第二のＤ２Ｄ装置が上記ＳＰＳ／ＳＰＴパラメータをＳＰＳ／ＳＰＴサービスに対応させる正確率を向上させるように、上記プロセスＩＤは第一のＤ２Ｄ装置によってランダムに生成されてもよい。
【００６９】
第四の態様又はその上記の実施形態のいずれかと組み合わせ、第四の態様の一つの可能な実施形態では、前記周期情報又は前記指示指示情報の所在フィールドはリザーブ値を含み、前記リザーブ値が前記ＳＰＳ／ＳＰＴサービスを終止することを示すことに用いられる。
【００７０】
周期情報又は指示指示情報の所在フィールドにリザーブ値を追加することにより、第二のＤ２Ｄ装置は現在のＳＰＳ／ＳＰＴサービスを終止するか否かを知り、さらに該ＳＰＳ／ＳＰＴサービスを伝送するためのリソースの使用状況を知ることができる。
【００７１】
第四の態様又はその上記の実施形態のいずれかと組み合わせ、第四の態様の一つの可能な実施形態では、前記第一のＳＡ情報内のリザーブ情報ビットがリザーブ値を含み、前記リザーブ値が前記ＳＰＳ／ＳＰＴサービスを終止することを示すことに用いられる。
【００７２】
前記第一のＳＡ情報内のリザーブ情報ビットにリザーブ値を追加することにより、第二のＤ２Ｄ装置は現在のＳＰＳ／ＳＰＴサービスを終止するか否かを知り、さらに該ＳＰＳ／ＳＰＴサービスを伝送するためのリソースの使用状況を知ることができる。
【００７３】
第四の態様又はその上記の実施形態のいずれかと組み合わせ、第四の態様の一つの可能な実施形態では、前記データパケットの送信時点がｔであり、前記Ｄ２Ｄ装置はさらに、前記第一のＤ２Ｄ装置によって第一の時点に送信された第二のＳＡ情報を受信するように構成され、前記第一の時点が前記送信時点ｔの前のいずれかの時点であり、前記第二のＳＡ情報が前記第一のＤ２Ｄ装置が前記送信時点ｔに前記データパケットを送信しようとすることを示すことに用いられる第二の受信モジュールを備える。
【００７４】
第一のＤ２Ｄ装置が第一の時点に第二のＳＡ情報を送信することにより、該リソースプールに新しく加入する他のＤ２Ｄ装置はリソースの使用状況を正確に知ることができる。
【００７５】
第四の態様又はその上記の実施形態のいずれかと組み合わせ、第四の態様の一つの可能な実施形態では、前記第一の時点がｔ−ａ時点であり、ａが前記送信時点ｔにデータを送信しようとする第一のＤ２Ｄ装置がリソースプール使用状況の検出を開始する時点である。
【００７６】
第一のＤ２Ｄ装置がｔ−ａ時点に第二のＳＡ情報を送信することにより、該リソースプールに新しく加入する他のＤ２Ｄ装置はリソースの使用状況を正確に知ることができる。
【００７７】
第四の態様又はその上記の実施形態のいずれかと組み合わせ、第四の態様の一つの可能な実施形態では、前記周期情報に対応するビッドの値が０である場合、現在の伝送されているサービスが非ＳＰＳ／ＳＰＴサービスであることを示す。
【００７８】
周期情報に対応するビッドの値が０である場合、現在の伝送されているサービスが非ＳＰＳ／ＳＰＴサービスであることを示すことにより、第二のＤ２Ｄ装置は第一のＤ２Ｄ装置が伝送する現在のサービスがＳＰＳ／ＳＰＴサービスであるか否かを知り、リソースの使用状況をより具体的に知ることができる。
【００７９】
第五の態様では、本出願がＤ２Ｄ装置を提供し、前記Ｄ２Ｄ装置は第一のＤ２Ｄ装置であり、メモリ、プロセッサ、入力／出力インタフェース、通信インタフェースとバスシステムを備える。その中、メモリ、プロセッサ、入力／出力インタフェースと通信インタフェースはバスシステムを介して接続し、該メモリが命令を記憶することに用いられ、該プロセッサが該メモリに記憶された命令を実行することに用いられ、前記命令が実行される場合、プロセッサは前記通信インタフェースを介して第一の態様の方法を実行し、入力されたデータ及び情報を受信し、操作結果などのデータを出力するように入力／出力インタフェースを制御する。
【００８０】
第六の態様では、本出願がＤ２Ｄ装置を提供し、前記Ｄ２Ｄ装置は第二のＤ２Ｄ装置であり、メモリ、プロセッサ、入力／出力インタフェース、通信インタフェースとバスシステムを備える。その中、メモリ、プロセッサ、入力／出力インタフェースと通信インタフェースはバスシステムを介して接続し、該メモリが命令を記憶することに用いられ、該プロセッサが該メモリに記憶された命令を実行することに用いられ、前記命令が実行される場合、プロセッサは前記通信インタフェースを介して第二の態様の方法を実行し、入力されたデータ及び情報を受信し、操作結果などのデータを出力するように入力／出力インタフェースを制御する。
【００８１】
第七の態様では、本出願がコンピュータ可読記憶媒体を提供し、前記コンピュータ可読記憶媒体はＤ２Ｄ通信のためのプログラムコードを記憶することに用いられ、前記プログラムコードが第一の態様における方法の命令を実行することに用いられる。
【００８２】
第八の態様では、本出願がコンピュータ可読記憶媒体を提供し、前記コンピュータ可読記憶媒体はＤ２Ｄ通信のためのプログラムコードを記憶することに用いられ、前記プログラムコードが第二の態様における方法の命令を実行することに用いられる。
【００８３】
本出願がＤ２Ｄ通信方法とＤ２Ｄ装置を提供することにより、Ｄ２Ｄ装置（第二のＤ２Ｄ装置であってもよい）はリソースを自律的に選択する場合、他のＤ２Ｄ装置（第一のＤ２Ｄ装置であってもよい）のリソース使用状況を知り、ＳＰＳ／ＳＰＴサービスの伝送を実現する。
【図面の簡単な説明】
【００８４】
【図１】本発明の実施例によるＤ２Ｄ通信方法の概略フローチャートである。
【図２】本発明の実施例によるＤ２Ｄ装置の概略ブロック図である。
【図３】本発明の別の実施例によるＤ２Ｄ装置の概略ブロック図である。
【図４】本発明の別の実施例によるＤ２Ｄ装置の概略ブロック図である。
【図５】本発明の別の実施例によるＤ２Ｄ装置の概略ブロック図である。
【発明を実施するための形態】
【００８５】
本発明の実施例の技術的解決策をより明確に説明するために、以下に本発明の実施例又は従来技術の記述において必要な図面を簡単に説明し、当然ながら、以下に記載される図面は本発明のいくつかの実施例に限られ、当業者であれば、創造的な労力を要することなく、これらの図面に基づいて他の図面を得ることができる。
【００８６】
理解すべきものとして、本発明の技術的解決策は、様々な通信システム、例えばグローバルモバイル通信（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）システム、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）システム、帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、長期発展型（ＬＴＥ：Ｌｏｎｇ  Ｔｅｒｍ  Ｅｖｏｌｕｔｉｏｎ）システム、高度な長期発展型（ＬＴＥ−Ａ：Ａｄｖａｎｃｅｄ  ｌｏｎｇ  ｔｅｒｍ  ｅｖｏｌｕｔｉｏｎ）システム、ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、５Ｇなどに応用されてもよい。
【００８７】
また、理解すべきものとして、本発明の実施例では、Ｄ２Ｄ装置（上記第一のＤ２Ｄ装置及び／又は上記第二のＤ２Ｄ装置であってもい）はユーザ装置（ＵＥ：Ｕｓｅｒ  Ｅｑｕｉｐｍｅｎｔ）、移動局（ＭＳ：Ｍｏｂｉｌｅ  Ｓｔａｔｉｏｎ）、移動端末（Ｍｏｂｉｌｅ  Ｔｅｒｍｉｎａｌ）、携帯電話（Ｍｏｂｉｌｅ  Ｔｅｌｅｐｈｏｎｅ）、ハンドセット（ｈａｎｄｓｅｔ）、ポータブル機器（ｐｏｒｔａｂｌｅ  ｅｑｕｉｐｍｅｎｔ）などを含むがこれらに限定されず、該ユーザ装置は無線アクセスネットワーク（ＲＡＮ：Ｒａｄｉｏ  Ａｃｃｅｓｓ  Ｎｅｔｗｏｒｋ）を介して一つ又は複数のコアネットワークと通信することができ、例えば、ユーザ装置が携帯電話（又は「セルラー」電話と呼ばれる）、無線通信機能を有するコンピュータなどであってもよく、ユーザ装置がポータブル、ポケット、ハンドヘルド、コンピュータ内蔵又は車載モバイルデバイスであってもよい。
【００８８】
いくつかの実施例では、Ｄ２Ｄ通信は車間（Ｖ２Ｖ：Ｖｅｈｉｃｌｅ  ｔｏ  Ｖｅｈｉｃｌｅ）通信、又はＶ２Ｘ通信を指すことができる。Ｖ２Ｘ通信では、Ｘは無線受信及び送信能力を有しているいかなるデバイスを広く指すことができ、例えば遅く移動する無線デバイス、速く移動する車載デバイス、又は無線送信及び受信能力を有しているネットワーク制御ノードであるがこれらに限定されない。
【００８９】
本発明の実施例では、基地局はＧＳＭ又はＣＤＭＡにおける基地局（ＢＴＳ：Ｂａｓｅ  Ｔｒａｎｓｃｅｉｖｅｒ  ｓｔｔｉｏｎ）であってもよいし、ＷＣＤＭＡにおける基地局（ＮｏｄｅＢ）であってもよいし、ＬＴＥにおける発展型基地局（ｅｖｏｌｖｅｄ  Ｎｏｄｅ  Ｂ、ｅＮＢ又はｅ−ＮｏｄｅＢ）であってもよいし、５Ｇにおけるアクセスサービスを提供するためのアクセスポイントであってもよく、本発明の実施例はこれに限定されない。
【００９０】
図１は本発明の実施例によるＤ２Ｄ通信方法の概略フローチャートである。図１に示す方法は、１１０及び１２０を含む。
【００９１】
１１０において、第一のＤ２Ｄ装置はデータパケットを生成し、前記データパケットがＳＰＳ／ＳＰＴサービスのデータパケットであり、前記データパケットが第一のスケジューリング割り当て（ＳＡ：Ｓｃｈｅｄｕｌｉｎｇ  Ａｓｓｉｇｎｍｅｎｔ）情報を含み、前記第一のＳＡ情報が前記ＳＰＳ／ＳＰＴサービスの周期情報を含む。
【００９２】
具体的には、上記第一のＳＡ情報は第一のＤ２Ｄ装置から送信されるデータの時間周波数リソースの情報、変調及び符号化スキーム（ＭＣＳ：Ｍｏｄｕｌａｔｉｏｎ  ａｎｄ  Ｃｏｄｉｎｇ  Ｓｃｈｅｍｅ）情報、周波数ホッピング指示、タイミングアドバンス（ＴＡ：Ｔｉｍｉｎｇ  Ａｄｖａｎｃｅ）と受信グループＩＤなどの情報を示すことに用いられてもよい。その中、データの時間周波数リソース情報は時間リソースパターン（Ｔ−ＲＰＴ：Ｔｉｍｅ  Ｒｅｓｏｕｒｃｅ  Ｐａｔｔｅｒｎ）の形態を用い、伝送されたデータによって占有さたサブフレームを示すことができる。
【００９３】
理解すべきものとして、上記ＳＰＳ／ＳＰＴサービスの周期情報はＳＰＳ／ＳＰＴサービスのデータパケットの伝送に必要な時間間隔、即ちＳＰＳ／ＳＰＴサービスの周期であってもよく、また一つの周期集合のインデックス番号であってもよく、即ち、プロトコルによって一つの周期集合、例えば｛０、１０ｍｓ、２０ｍｓ、４０ｍｓ、１００ｍｓ、２００ｍｓ｝を予め設定してもよく、周期情報は該集合に対応する一つのインデックス番号（Ｉｎｄｅｘ）であってもよく、例えば、インデックス番号が１である場合、該周期集合における１０ｍｓに対応し、該ＳＰＳ／ＳＰＴサービスの周期が１０ｍｓであり、本発明は周期情報の表現形態を具体的に限定しない。
【００９４】
また、理解すべきものとして、上記周期情報がサービスの周期である場合、該周期値が０であってもよく、現在のサービスがＳＰＳ／ＳＰＴサービスではないことを示すことに用いられる。
【００９５】
また、理解すべきものとして、上記第二のＤ２Ｄ装置は第一のＤ２Ｄ装置とＤ２Ｄ通信を行うＤ２Ｄ装置であってもよく、上記第一のＤ２Ｄ装置はＳＰＳ／ＳＰＴサービスのデータパケットを伝送するための送信側であってもよく、上記第二のＤ２Ｄ装置はＳＰＳ／ＳＰＴサービスのデータパケットを伝送するための受信側であってもよい。
【００９６】
また、理解すべきものとして、上記第二のＤ２Ｄ装置は一つのＤ２Ｄ装置であってもよいし、複数のＤ２Ｄ装置であってもよく、本発明はこれに具体的に限定されない。
【００９７】
選択可能に、一つの実施例として、前記第一のＳＡ情報はさらに指示情報を含み、前記指示情報が前記ＳＰＳ／ＳＰＴサービスの未伝送データに必要な伝送回数を示すことに用いられる。
【００９８】
具体的には、上記指示情報に対応するビットの値が０であってもよく、現在のサービスがＳＰＳ／ＳＰＴサービスではないことを示すことに用いられる。
【００９９】
選択可能に、一つの実施例として、前記第一のＳＡ情報はさらに前記ＳＰＳ／ＳＰＴサービスのプロセスＩＤを含む。
【０１００】
具体的には、一つの第一のＤ２Ｄ装置に複数のＳＰＳ／ＳＰＴサービスが存在してもよく、又は異なるＤ２Ｄ装置に複数の異なるＳＰＳ／ＳＰＴサービスが存在し、ＳＰＳ／ＳＰＴサービス毎に一つのプロセスＩＤ（ＰｒｏｃｅｓｓＩＤ）が対応されてもよく、その中のあるＳＰＳ／ＳＰＴサービスがＳＰＳ／ＳＰＴパラメータ（例えば周期又は未伝送データに必要な伝送回数）を変更する必要がある場合、ＰｒｏｃｅｓｓＩＤにより、第二のＤ２Ｄ装置はＳＰＳ／ＳＰＴのパラメータを具体的なＳＰＳ／ＳＰＴサービスに対応させることができる。
【０１０１】
理解すべきものとして、異なる端末が同じＰｒｏｃｅｓｓＩＤを生成する確率を低減することができるように、ＰｒｏｃｅｓｓＩＤは第一のＤ２Ｄ装置によってランダムに選択された値であってもよく、本発明は該ＰｒｏｃｅｓｓＩＤの選択方式を具体的に限定しない。
【０１０２】
選択可能に、一つの実施例として、前記周期情報又は前記指示指示情報の所在フィールドはリザーブ値を含み、前記リザーブ値が前記ＳＰＳ／ＳＰＴサービスを終止することを示すことに用いられる。
【０１０３】
具体的には、現在のＳＰＳ／ＳＰＴサービスが変化した場合、周期情報又は指示情報に含まれるリザーブ値は、該プロセスＩＤに対応するＳＰＳ／ＳＰＴサービスのデータパケットを後続に伝送しないことを示すことができ、また該ＳＡに対応するＳＰＳ／ＳＰＴサービスのデータパケットを後続に伝送しないことを示すことができる。
【０１０４】
理解すべきものとして、上記リザーブ値がＳＡ情報中に設定されてもよく、ＳＡ情報に専門の情報ビット（代替可能的に、ビット）、例えば１ｂｉｔをリザーブし、該リザーブ値を表すことができ、本発明は該リザーブ値の記憶位置を具体的に限定しない。
【０１０５】
具体的には、上記リザーブ値は、ＳＰＳ／ＳＰＴサービスのＳＰＳ／ＳＰＴパラメータ（例えば周期情報及び／又は前記指示情報）が変化する時に、該ＳＰＳ／ＳＰＴサービスを終止することを示すことに用いられてもよい。
【０１０６】
上記Ｐｒｏｓｅｓｓ  ＩＤを第一のＤ２Ｄ装置によってランダムに選択することができるため、異なる第一のＤ２Ｄ装置によって選択されるＰｒｏｓｅｓｓ  ＩＤが重複しないことが保証できない。異なる端末の異なるＳＰＳ／ＳＰＴサービスが同じＰｒｏｓｅｓｓ  ＩＤを使用することによって、第二のＤ２Ｄ装置が変更後のＳＰＳ／ＳＰＴパラメータをＳＰＳ／ＳＰＴサービスに対応させることができないことを回避するために、前記第一のＤ２Ｄ装置は、現在のＳＰＳ／ＳＰＴパラメータを変更する前に第三のＳＡ情報を送信することができ、前記第三のＳＡ情報が前記第三のＳＡ情報に対応するＳＰＳ／ＳＰＴサービスのデータパケットの伝送を終止することを示すことに用いられる。
【０１０７】
理解すべきものとして、上記第三のＳＡ情報は上記第一のＳＡ情報の全て又は少なくとも部分の情報を含むことができ、本発明はこれに具体的に限定されない。
【０１０８】
説明すべきものとして、第二のＤ２Ｄ装置が上記第三のＳＡ情報を受信した後に、該第三のＳＡ情報に対応するリソースが解放されたことを知り、この時に第二のＤ２Ｄ装置は該リソースで他のＳＰＳ／ＳＰＴサービスを伝送することができ、又は第三のＳＡ情報を送信する上記第一のＤ２Ｄ装置は該リソースで一つの新しいＳＰＳ／ＳＰＴサービスを伝送することもできる。
【０１０９】
１２０において、前記第一のＤ２Ｄ装置は第二のＤ２Ｄ装置へ前記データパケットを送信する。
【０１１０】
第一のＤ２Ｄ装置がＳＡ情報にＳＰＳ／ＳＰＴサービスの周期情報を含ませることにより、第二のＤ２Ｄ装置がリソースの使用状況を知り、第二のＤ２Ｄ装置がリソースを自律的に選択する場合におけるＳＰＳ／ＳＰＴサービスの伝送を実現し、複数のＤ２Ｄ装置が同時に同じリソースでＳＰＳ／ＳＰＴサービスデータを伝送することによる衝突の発生を回避する。
【０１１１】
選択可能に、一つの実施例として、前記データパケットの送信時点がｔであり、前記方法はさらに、前記第一のＤ２Ｄ装置が第一の時点に第二のＳＡ情報を送信し、前記第一の時点が前記送信時点ｔの前のいずれかの時点であり、前記第二のＳＡ情報が前記第一のＤ２Ｄ装置が前記送信時点ｔに前記データパケットを送信しようとすることを示すことに用いられる。
【０１１２】
理解すべきものとして、上記第二のＳＡ情報はさらに上記第一のＳＡ情報の全ての内容又は部分の内容を含むことができ、本発明は該第二のＳＡ情報の内容を具体的に限定しない。
【０１１３】
選択可能に、一つの実施例として、前記第一の時点がｔ−ａ時点であり、ａが前記送信時点ｔにデータを送信しようとする第一のＤ２Ｄ装置がリソースプール使用状況の検出を開始する時点である。
【０１１４】
一般的には、第一のＤ２Ｄ装置が時点ｔにデータを送信しようとする場合、第一のＤ２Ｄ装置は少なくとも時点［ｔ−ａ、ｔ−ｂ］間にリソースの使用状況を確定し始める必要がある。その中ａ＞ｂ≧０であり、ｔ−ａは第一のＤ２Ｄ装置がリソースがアイドルにあるか否かを確定する検出開始時間を表し、ｔ−ｂは第一のＤ２Ｄ装置がリソースがアイドルにあるか否かを確定する検出終了時間を表し、且つ全てのＤ２Ｄ装置（第一のＤ２Ｄ装置と第二のＤ２Ｄ装置を含む）に対して、ａとｂの値が同様である。
【０１１５】
第一のＤ２Ｄ装置のＳＰＳ／ＳＰＴサービスの周期がｔ1であり、ｔ1＞αとし、該第一のＤ２Ｄ装置がｔ時点に該ＳＰＳ／ＳＰＴサービスのデータパケットを送信しようとする場合、該データパケットの前のデータパケットと後のデータパケットはそれぞれｔ−ｔ１時点とｔ＋ｔ1時点に送信される。この場合、該リソースプールに新しく加入するＤ２Ｄ装置も時点ｔにデータパケットを送信しようとする場合、該リソースプールに新しく加入する該Ｄ２Ｄ装置がリソースがアイドルにあるか否かを最も早く確定する開始時点はｔ−ａであり、第一のＤ２Ｄ装置の前のデータパケットがｔ−ｔ１時点に送信されるため、この時に該リソースプールに新しく加入する該Ｄ２Ｄ装置は第一のＤ２Ｄ装置が時点ｔにデータパケットを送信することを知ることができず、そのため第一のＤ２Ｄ装置と該リソースプールに新しく加入するＤ２Ｄ装置は時点ｔに衝突する可能性がある。
【０１１６】
上記の衝突を回避するために、本発明の実施例におけるＤ２Ｄ装置は時点ｔ−ａにまず第二のＳＡ情報を送信し、次に時点ｔに第一のＳＡ情報を含むデータパケットを送信する必要がある。
【０１１７】
一般的には、第一のＤ２Ｄ装置が時点ｔにＳＰＳ／ＳＰＴサービスのデータパケットを伝送するためのリソースを選択（又は再度選択）する場合、第一のＤ２Ｄ装置は少なくとも［ｔ−ａ、ｔ−ｂ］間にリソースの使用状況を確定し始める必要がある。ここで、ａ＞ｂ≧０であり、ｔ−ａは第一のＤ２Ｄ装置がリソースがアイドルにあるか否かを確定する検出開始時間を表し、ｔ−ｂは第一のＤ２Ｄ装置がリソースがアイドルにあるか否かを確定する検出終了時間を表し、且つ全ての第一のＤ２Ｄ装置に対して、ａとｂの値が同様である。該第一のＤ２Ｄ装置は時点ｔ＋ｃ（ｃ≧０且つ整数である）にＳＰＳ／ＳＰＴサービスのデータパケットに対応する第一のＳＡ情報を送信し、且つ時点ｔ＋ｄ（ｄ≧ｃ且つ整数である）に該ＳＰＳ／ＳＰＴサービスのデータパケットを送信することができる。この場合、新しく加入するＤ２Ｄ装置がｔ＋ｃに送信された第一のＳＡ情報、及びｔ＋ｄ時点に送信されたＳＰＳ／ＳＰＴサービスのデータパケットを知ることができない（上記の通りである）ことを回避するために、時点ｔ−ａにまず第二のＳＡ情報を送信し、次に時点ｔ＋ｃに第一のＳＡ情報を送信し、時点ｔ＋ｄにＳＰＳ／ＳＰＴサービスのデータパケットを送信する必要がる。
【０１１８】
説明すべきものとして、上記の２つの場合では、［ｔ−ａ、ｔ-ｂ］間に第二のＳＡ情報を送信することにより、第一のＤ２Ｄ装置が属するリソースプールに新しく加入するＤ２Ｄ装置はリソースの使用状況を知ることができる。時点ｔにＳＰＳ／ＳＰＴサービスのデータパケットを伝送しようとするＤ２Ｄ装置がリソースがアイドルにあるか否かを確定する検出開始時点がｔ−ａ時点であるので、ｔ−ａ時点に第二のＳＡ情報を送信することは最適である。
【０１１９】
理解すべきものとして、ａ、ｂ、ｃ、ｄ、ｔはサブフレーム（ｓｕｂｆｒａｍｅ）を単位とすることができ、且ついずれも整数であり、ＬＴＥにおいて一つのサブフレームの持続時間が１ｍｓであり、本発明はａ、ｂ、ｃ、ｄ、ｔの単位を具体的に限定しない。
【０１２０】
選択可能に、一つの実施例として、前記周期情報に対応するビットの値が０である場合、現在の伝送されるサービスが非ＳＰＳ／ＳＰＴサービスであることを示す。
【０１２１】
以上に図１を参照して図１に示す本発明の実施例によるＤ２Ｄ通信方法を詳細に説明し、以下に図２〜図５を参照して本発明の実施例にいよるＤ２Ｄ装置を説明する。理解すべきものとして、便利且つ簡潔に説明するために、Ｄ２Ｄ装置がＤ２Ｄ通信を行う時の具体的な動作プロセスについて、上述した方法の実施例における対応するプロセスを参照することができ、ここでは説明を省略する。
【０１２２】
図２は本発明の実施例によるＤ２Ｄ装置の概略ブロック図である。図２のＤ２Ｄ装置は第一のＤ２Ｄ装置であってもよく、該Ｄ２Ｄ装置２００は生成モジュール２１０と第一の送信モジュール２２０とを備える。
【０１２３】
生成モジュール２１０は、データパケットを生成するように構成され、前記データパケットが半静的スケジューリング（ＳＰＳ／ＳＰＴ）サービスのデータパケットであり、前記データパケットが第一のスケジューリング割り当て（ＳＡ）情報を含み、前記第一のＳＡ情報が前記ＳＰＳ／ＳＰＴサービスの周期情報を含み、
第一の送信モジュール２２０は、前記生成モジュール２１０によって生成された前記データパケットを第二のＤ２Ｄ装置に送信するように構成される。
【０１２４】
第一のＤ２Ｄ装置がＳＡ情報にＳＰＳ／ＳＰＴサービスの周期情報を含ませることにより、第二のＤ２Ｄ装置がリソースの使用状況を知り、第二のＤ２Ｄ装置がリソースを自律的に選択する場合におけるＳＰＳ／ＳＰＴサービスの伝送を実現し、複数のＤ２Ｄ装置が同時に同じリソースでＳＰＳ／ＳＰＴサービスデータを伝送することによる衝突の発生を回避する。
【０１２５】
選択可能に、一つの実施例として、前記第一のＳＡ情報はさらに指示情報を含み、前記指示情報が前記ＳＰＳ／ＳＰＴサービスの未伝送データに必要な伝送回数を示すことに用いられる。
【０１２６】
選択可能に、一つの実施例として、前記第一のＳＡ情報はさらに前記ＳＰＳ／ＳＰＴサービスのプロセスＩＤを含む。
【０１２７】
選択可能に、一つの実施例として、前記プロセスＩＤは前記第一のＤ２Ｄ装置によってランダムに生成される。
【０１２８】
選択可能に、一つの実施例として、前記周期情報又は前記指示指示情報の所在フィールドはリザーブ値を含み、前記リザーブ値が前記ＳＰＳ／ＳＰＴサービスを終止することを示すことに用いられる。
【０１２９】
選択可能に、一つの実施例として、前記第一のＳＡ情報内のリザーブ情報ビットはリザーブ値を含み、前記リザーブ値が前記ＳＰＳ／ＳＰＴサービスを終止することを示すことに用いられる。
【０１３０】
選択可能に、一つの実施例として、前記データパケットの送信時点がｔであり、前記Ｄ２Ｄ装置はさらに、第一の時点に第二のＳＡ情報を送信するように構成され、前記第一の時点が前記送信時点ｔの前のいずれかの時点であり、前記第二のＳＡ情報が前記第一のＤ２Ｄ装置が前記送信時点ｔに前記データパケットを送信しようとすることを示すことに用いられる第二の送信モジュールを備える。
【０１３１】
選択可能に、一つの実施例として、前記第一の時点がｔ−ａ時点であり、ａが前記送信時点ｔにデータを送信しようとする第一のＤ２Ｄ装置がリソースプール使用状況の検出を開始する時点である。
【０１３２】
選択可能に、一つの実施例として、前記周期情報に対応するビッドの値が０である場合、現在の伝送されているサービスが非ＳＰＳ／ＳＰＴサービスであることを示す。
【０１３３】
図３は本発明の別の実施例によるＤ２Ｄ装置の概略ブロック図である。図３に示すＤ２Ｄ装置は第二のＤ２Ｄ装置であってもよく、該Ｄ２Ｄ装置３００は第一の受信モジュール３１０、第一の取得モジュール３２０と第二の取得モジュール３３０を備える。
【０１３４】
第一の受信モジュール３１０は、第一のＤ２Ｄ装置から送信されたデータパケットを受信するように構成され、前記データパケットが半静的スケジューリング／半静的伝送（ＳＰＳ／ＳＰＴ）サービスのデータパケットであり、前記データパケットが第一のスケジューリング割り当て（ＳＡ）情報を含み、前記第一のＳＡ情報が前記ＳＰＳ／ＳＰＴサービスの周期情報を含み、
第一の取得モジュール３２０は、前記第一の受信モジュール３１０によって受信された前記データパケットから前記第一のＳＡ情報を取得するように構成され、
第二の取得モジュール３３０は、前記第一の取得モジュール３２０によって取得された前記第一のＳＡ情報から前記ＳＰＳ／ＳＰＴサービスの周期情報を取得するように構成される。
【０１３５】
第一のＤ２Ｄ装置がＳＡ情報にＳＰＳ／ＳＰＴサービスの周期情報を含ませることにより、第二のＤ２Ｄ装置がリソースの使用状況を知り、第二のＤ２Ｄ装置がリソースを自律的に選択する場合におけるＳＰＳ／ＳＰＴサービスの伝送を実現し、複数のＤ２Ｄ装置が同時に同じリソースでＳＰＳ／ＳＰＴサービスデータを伝送することによる衝突の発生を回避する。
【０１３６】
選択可能に、一つの実施例として、前記第一のＳＡ情報はさらに指示情報を含み、前記指示情報が前記ＳＰＳ／ＳＰＴサービスの未伝送データに必要な伝送回数を示すことに用いられる。
【０１３７】
選択可能に、一つの実施例として、前記第一のＳＡ情報はさらに前記ＳＰＳ／ＳＰＴサービスのプロセスＩＤを含む。
【０１３８】
選択可能に、一つの実施例として、前記プロセスＩＤは前記第一のＤ２Ｄ装置によってランダムに生成される。
【０１３９】
選択可能に、一つの実施例として、前記周期情報又は前記指示情報に位置するフィールドはリザーブ値を含み、前記リザーブ値が前記ＳＰＳ／ＳＰＴサービスを終止することを示すことに用いられる。
【０１４０】
選択可能に、一つの実施例として、前記第一のＳＡ情報内のリザーブ情報ビットはリザーブ値を含み、前記リザーブ値が前記ＳＰＳ／ＳＰＴサービスを終止することを示すことに用いられる。
【０１４１】
選択可能に、一つの実施例として、前記データパケットの送信時点がｔであり、前記Ｄ２Ｄ装置はさらに、前記第一のＤ２Ｄ装置によって第一の時点に送信された第二のＳＡ情報を受信するように構成され、前記第一の時点が前記送信時点ｔの前のいずれかの時点であり、前記第二のＳＡ情報が前記第一のＤ２Ｄ装置が前記送信時点ｔに前記データパケットを送信しようとすることを示すことに用いられる第二の受信モジュールを備える。
【０１４２】
選択可能に、一つの実施例として、前記第一の時点がｔ−ａ時点であり、ａが前記送信時点ｔにデータを送信しようとする第一のＤ２Ｄ装置がリソースプール使用状況の検出を開始する時点である。
【０１４３】
選択可能に、一つの実施例として、前記周期情報に対応するビッドの値が０である場合、現在の伝送されているサービスが非ＳＰＳ／ＳＰＴサービスであることを示す。
【０１４４】
図４に示す本発明の別の実施例によるＤ２Ｄ装置の概略ブロック図である。図４に示すＤ２Ｄ装置４００は第一のＤ２Ｄ装置であってもよく、メモリ４１０、プロセッサ４２０、入力／出力インタフェース４３０、通信インタフェース４４０とバスシステム４５０を備える。その中、メモリ４１０、プロセッサ４２０、入力／出力インタフェース４３０と通信インタフェース４４０はバスシステム４５０を介して接続し、該メモリ４１０が命令を記憶することに用いられ、該プロセッサ４２０が該メモリ４１０に記憶された命令を実行し、入力されたデータ及び情報を受信し、操作結果などのデータを出力するように入力／出力インタフェース４３０を制御し、信号を送信するように通信インタフェース４４０を制御することに用いられる。
【０１４５】
前記プロセッサ４２０は、データパケットを生成するように構成され、前記データパケットが半静的スケジューリング／半静的伝送（ＳＰＳ／ＳＰＴ）サービスのデータパケットであり、前記データパケットが第一のスケジューリング割り当て（ＳＡ）情報を含み、前記第一のＳＡ情報が前記ＳＰＳ／ＳＰＴサービスの周期情報を含み、
前記通信インタフェース４４０は第二のＤ２Ｄ装置へ前記データパケットを送信する。
【０１４６】
理解すべきものとして、本発明の実施例では、該プロセッサ４２０は汎用の中央プロセッサ（ＣＰＵ：Ｃｅｎｔｒａｌ  Ｐｒｏｃｅｓｓｉｎｇ  Ｕｎｉｔ）、マイクロプロセッサ、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、又は関連するプログラムを実行するための一つ又は複数の集積回路を用い、本発明の実施例による技術的解決策を実現することができる。
【０１４７】
また、理解すべきものとして、通信インタフェース４４０は、Ｄ２Ｄ装置４００と他の装置又は通信ネットワークとの通信を実現するために、送受信機のような送受信装置を使用するが、送受信装置に限定されない。
【０１４８】
該メモリ４１０は読み取り専用メモリとランダムアクセスメモリを含み、プロセッサ４２０へ命令とデータを提供することができる。プロセッサ４２０の一部はさらに不揮発性ランダムアクセスメモリを含むことができる。例えば、プロセッサ４２０はさらに装置タイプの情報を記憶することができる。
【０１４９】
該バスシステム４５０はデータバスに加えて、電源バス、制御バスと状態信号バスなどを含むことができる。しかし、明確に説明するために、図４において様々なバスをバスシステム４５０として表記する。
【０１５０】
実施過程において、上記方法の各ステップはプロセッサ４２０におけるハードウェアの集積ロジック回路又はソフトウェア形態の命令により完了されてもよい。本発明の実施例と組み合わせて開示されたＤ２Ｄ通信方法のステップは、ハードウェアプロセッサによって実行されて完了され、又はプロセッサにおけるハードウェア及びソフトウェアモジュールの組み合わせで実行されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ４１０に位置し、プロセッサ４２０はメモリ４１０における情報を読み取り、そのハードウェアと組み合わせて上記方法のステップを完了する。繰り返しを回避するために、ここで詳細に説明しない。
【０１５１】
第一のＤ２Ｄ装置がＳＡ情報にＳＰＳ／ＳＰＴサービスの周期情報を含ませることにより、第二のＤ２Ｄ装置がリソースの使用状況を知り、第二のＤ２Ｄ装置がリソースを自律的に選択する場合におけるＳＰＳ／ＳＰＴサービスの伝送を実現し、複数のＤ２Ｄ装置が同時に同じリソースでＳＰＳ／ＳＰＴサービスデータを伝送することによる衝突の発生を回避する。
【０１５２】
選択可能に、一つの実施例として、前記第一のＳＡ情報はさらに指示情報を含み、前記指示情報が前記ＳＰＳ／ＳＰＴサービスの未伝送データに必要な伝送回数を示すことに用いられる。
【０１５３】
選択可能に、一つの実施例として、前記第一のＳＡ情報はさらに前記ＳＰＳ／ＳＰＴサービスのプロセスＩＤを含む。
【０１５４】
選択可能に、一つの実施例として、前記プロセスＩＤは前記Ｄ２Ｄ装置によってランダムに生成される。
【０１５５】
選択可能に、一つの実施例として、前記周期情報又は前記指示指示情報の所在フィールドはリザーブ値を含み、前記リザーブ値が前記ＳＰＳ／ＳＰＴサービスを終止することを示すことに用いられる。
【０１５６】
選択可能に、一つの実施例として、前記第一のＳＡ情報内のリザーブ情報ビットはリザーブ値を含み、前記リザーブ値が前記ＳＰＳ／ＳＰＴサービスを終止することを示すことに用いられる。
【０１５７】
選択可能に、一つの実施例として、前記データパケットの送信時点がｔであり、前記通信インタフェース４４０はさらに第一の時点に第二のＳＡ情報を送信するように構成され、前記第一の時点が前記送信時点ｔの前のいずれかの時点であり、前記第二のＳＡ情報が前記第一のＤ２Ｄ装置が前記送信時点ｔに前記データパケットを送信しようとすることを示すことに用いられる。
【０１５８】
選択可能に、一つの実施例として、前記第一の時点がｔ−ａ時点であり、ａが前記送信時点ｔにデータを送信しようとする第一のＤ２Ｄ装置がリソースプール使用状況の検出を開始する時点である。
【０１５９】
選択可能に、一つの実施例として、前記周期情報に対応するビッドの値が０である場合、現在の伝送されているサービスが非ＳＰＳ／ＳＰＴサービスであることを示す。
【０１６０】
図５は本発明の別の実施例によるＤ２Ｄ装置の概略ブロック図である。図５に示すＤ２Ｄ装置５００は第二のＤ２Ｄ装置であってもよく、メモリ５１０、プロセッサ５２０、入力／出力インタフェース５３０、通信インタフェース５４０とバスシステム５５０を備える。その中、メモリ５１０、プロセッサ５２０、入力／出力インタフェース５３０と通信インタフェース５４０はバスシステム５５０を介して接続し、該メモリ５１０が命令を記憶することに用いられ、該プロセッサ５２０が該メモリ５１０に記憶された命令を実行し、入力されたデータと情報を受信し、操作結果などのデータを出力するように入力／出力インタフェース５３０を制御し、信号を送信するように通信インタフェース５４０を制御することに用いられる。
【０１６１】
前記通信インタフェース５４０は、第一のＤ２Ｄ装置から送信されたデータパケットを受信するように構成され、前記データパケットが半静的スケジューリング／半静的伝送（ＳＰＳ／ＳＰＴ）サービスのデータパケットであり、前記データパケットが第一のスケジューリング割り当て（ＳＡ）情報を含み、前記第一のＳＡ情報が前記ＳＰＳ／ＳＰＴサービスの周期情報を含み、
前記プロセッサ５２０は前記データパケットから前記第一のＳＡ情報を取得するように構成され、
前記プロセッサ５２０はさらに前記第一のＳＡ情報から前記ＳＰＳ／ＳＰＴサービスの周期情報を取得するように構成される。
【０１６２】
理解すべきものとして、本発明の実施例では、該プロセッサ５２０は汎用の中央プロセッサ（ＣＰＵ：Ｃｅｎｔｒａｌ  Ｐｒｏｃｅｓｓｉｎｇ  Ｕｎｉｔ）、マイクロプロセッサ、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、又は関連するプログラムを実行するための一つ又は複数の集積回路を用い、本発明の実施例による技術的解決策を実現することができる。
【０１６３】
理解すべきものとして、通信インタフェース５４０は、Ｄ２Ｄ装置５００と他の装置又は通信ネットワークとの通信を実現するために、送受信機のような送受信装置を使用するが、送受信装置に限定されない。
【０１６４】
該メモリ５１０は読み取り専用メモリとランダムアクセスメモリを含み、プロセッサ５２０へ命令とデータを提供することができる。プロセッサ５２０の一部はさらに不揮発性ランダムアクセスメモリを含むことができる。例えば、プロセッサ５２０はさらに装置タイプの情報を記憶することができる。
【０１６５】
該バスシステム５５０はデータバスに加えて、電源バス、制御バスと状態信号バスなどを含むことができる。しかし、明確に説明するために、図４において様々なバスをバスシステム５５０として表記する。
【０１６６】
実施過程において、上記方法の各ステップはプロセッサ５２０におけるハードウェアの集会論理回路又はソフトウェア形態の命令により完了されてもよい。本発明の実施例と組み合わせて開示されたＤ２Ｄ通信方法のステップは、ハードウェアプロセッサによって実行されて完了され、又はプロセッサにおけるハードウェア及びソフトウェアモジュールの組み合わせで実行されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ５１０に位置し、プロセッサ５２０はメモリ５１０における情報を読み取り、そのハードウェアと組み合わせて上記方法のステップを完了する。繰り返しを回避するために、ここで詳細に説明しない。
【０１６７】
第一のＤ２Ｄ装置がＳＡ情報にＳＰＳ／ＳＰＴサービスの周期情報を含ませることにより、第二のＤ２Ｄ装置がリソースの使用状況を知り、第二のＤ２Ｄ装置がリソースを自律的に選択する場合におけるＳＰＳ／ＳＰＴサービスの伝送を実現し、複数のＤ２Ｄ装置が同時に同じリソースでＳＰＳ／ＳＰＴサービスデータを伝送することによる衝突の発生を回避する。
【０１６８】
選択可能に、一つの実施例として、前記第一のＳＡ情報はさらに指示情報を含み、前記指示情報が前記ＳＰＳ／ＳＰＴサービスの未伝送データに必要な伝送回数を示すことに用いられる。
【０１６９】
選択可能に、一つの実施例として、前記第一のＳＡ情報はさらに前記ＳＰＳ／ＳＰＴサービスのプロセスＩＤを含む。
【０１７０】
選択可能に、一つの実施例として、前記プロセスＩＤは前記第一のＤ２Ｄ装置によってランダムに生成される。
【０１７１】
選択可能に、一つの実施例として、前記周期情報又は前記指示指示情報の所在フィールドはリザーブ値を含み、前記リザーブ値が前記ＳＰＳ／ＳＰＴサービスを終止することを示すことに用いられる。
【０１７２】
選択可能に、一つの実施例として、前記第一のＳＡ情報内のリザーブ情報ビットはリザーブ値を含み、前記リザーブ値が前記ＳＰＳ／ＳＰＴサービスを終止することを示すことに用いられる。
【０１７３】
選択可能に、一つの実施例として、前記データパケットの送信時点がｔであり、前記通信インタフェース５４０はさらに前記第一のＤ２Ｄ装置によって第一の時点に送信された第二のＳＡ情報を受信するように構成され、前記第一の時点が前記送信時点ｔの前のいずれかの時点であり、前記第二のＳＡ情報が前記第一のＤ２Ｄ装置が前記送信時点ｔに前記データパケットを送信しようとすることを示すことに用いられる。
【０１７４】
選択可能に、一つの実施例として、前記第一の時点がｔ−ａ時点であり、ａが前記送信時点ｔにデータを送信しようとする第一のＤ２Ｄ装置がリソースプール使用状況の検出を開始する時点である。
【０１７５】
選択可能に、一つの実施例として、前記周期情報に対応するビッドの値が０である場合、現在の伝送されているサービスが非ＳＰＳ／ＳＰＴサービスであることを示す。
【０１７６】
当業者であれば、本明細書に開示された実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるか否かは技術的解決策の特定アプリケーションと設計制約条件に依存する。専門技術者は各特定のアプリケーションに対して異なる方法を使用して説明された機能を実現することができるが、このような実現は本発明の範囲を超えていると考えられるべきではない。
【０１７７】
当業者は、便利且つ簡潔に説明するために、上述したシステム、装置とモジュールの具体的な動作プロセスについて上記方法の実施例における対応するプロセスを参照することができ、ここでは説明を省略することを明確に理解することができる。
【０１７８】
本出願が提供するいくつかの実施例は、開示されたシステム、装置及び方法が他の方式により実現されてもよいと理解すべきである。例えば、上述した装置の実施例は例示的なものに過ぎず、例えば、前記モジュールの区分はロジック機能的区分に過ぎず、実際に実施する時に他の区分方式もあり得る。例えば複数のモジュール又は部材が組み合わされてもよく、又は別のシステムに統合されてもよく、又はいくつかの特徴は無視されてもよく、又は実行されなくてもよい。また、示される又は議論される相互結合又は直接結合又は通信接続はいくつかのインターフェース、装置又はモジュールを介する間接的結合又は通信接続であってもよく、電気的、機械的又は他の形態であってもよい。
【０１７９】
分離部材として説明された前記モジュールは物理的に分離するものであってもよく、または物理的に分離するものでなくてもよく、モジュールとして表示された部材は物理的モジュールであってもよく、または物理的モジュールでなくてもよく、すなわち一つの箇所に位置してもよく、又は複数のネットワークモジュールに分布してもよい。実際のニーズに応じてその中の一部又は全てのモジュールを選択して本実施例の解決策の目的を達成することができる。
【０１８０】
また、本発明の各実施例における各機能モジュールは一つの処理モジュールに統合されてもよく、個々のモジュールは単独で物理的に存在してもよく、二つ又は二つ以上のモジュールは一つのモジュールに統合されてもよい。
【０１８１】
前記機能はソフトウェア機能モジュールの形態で実現され且つ独立した製品として販売又は使用される場合、一つのコンピュータ読み取り可能な記憶媒体に格納されてもよい。このような理解に基づき，本発明の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一つのコンピュータ装置（パーソナルコンピュータ、サーバ、又はネットワーク装置などあってもよい）に本発明の各実施例に記載の方法の全部又は一部のステップを実行させるためのいくつかのコマンドを含む記憶媒体に記憶される。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１８２】
以上は、本発明の最適的な実施例に過ぎず、本発明を制限するものではなく、本分野の当業者に対して、本発明には各種類の変更と変化がある。本発明の主旨精神と原則の範囲内で、いかなる改修、同等の入れ替わり、改良等が、本発明の保護範囲内に含まれるべきである。
【図１】
2019519950.tif 000003
【図２】
2019519950.tif 000004
【図３】
2019519950.tif 000005
【図４】
2019519950.tif 000006
【図５】
2019519950.tif 000007
【手続補正書】
【提出日】平成30年11月13日(2018.11.13)
【手続補正１】
【補正対象書類名】特許請求の範囲
【補正対象項目名】全文
【補正方法】変更
【補正の内容】
【特許請求の範囲】
【請求項１】
装置間Ｄ２Ｄ通信方法であって、
第一のＤ２Ｄ装置がデータパケットを生成し、前記データパケットが半静的スケジューリング／半静的伝送（ＳＰＳ／ＳＰＴ）サービスのデータパケットであり、前記データパケットが第一のスケジューリング割り当て（ＳＡ）情報を含み、前記第一のＳＡ情報が前記ＳＰＳ／ＳＰＴサービスの周期情報を含むことと、
前記第一のＤ２Ｄ装置が第二のＤ２Ｄ装置へ前記データパケットを送信することとを含む、装置間Ｄ２Ｄ通信方法。
【請求項２】
前記第一のＳＡ情報はさらに指示情報、又は、前記ＳＰＳ／ＳＰＴサービスのプロセスＩＤのうちの少なくとも一つを含み、前記指示情報が前記ＳＰＳ／ＳＰＴサービスの未伝送データに必要な伝送回数を示すことに用いられることを特徴とする
請求項１に記載の方法。
【請求項３】
前記プロセスＩＤは前記第一のＤ２Ｄ装置によってランダムに生成されるものであることを特徴とする
請求項２に記載の方法。
【請求項４】
前記第一のＳＡ情報内のリザーブ情報ビット、又は、前記周期情報又は前記指示指示情報の所在フィールドはリザーブ値を含み、前記リザーブ値が前記ＳＰＳ／ＳＰＴサービスを終止することを示すことに用いられることを特徴とする
請求項１乃至３のいずれか一項に記載の方法。
【請求項５】
前記データパケットの送信時点がｔであり、
前記方法はさらに、
前記第一のＤ２Ｄ装置が第一の時点に第二のＳＡ情報を送信し、前記第一の時点が前記送信時点ｔの前のいずれかの時点であり、前記第二のＳＡ情報が前記第一のＤ２Ｄ装置が前記送信時点ｔに前記データパケットを送信しようとすることを示すことに用いられることを特徴とする
請求項１乃至４のいずれか一項に記載の方法。
【請求項６】
前記第一の時点がｔ−ａ時点であり、ａが前記送信時点ｔにデータを送信しようとする第一のＤ２Ｄ装置がリソースプール使用状況の検出を開始する時点であることを特徴とする
請求項５に記載の方法。
【請求項７】
前記周期情報に対応するビッドの値が０である場合、現在の伝送されているサービスが非ＳＰＳ／ＳＰＴサービスであることを示すことを特徴とする
請求項１乃至６に記載の方法。
【請求項８】
装置間Ｄ２Ｄ通信方法であって、
第二のＤ２Ｄ装置が第一のＤ２Ｄ装置から送信されたデータパケットを受信し、前記データパケットが半静的スケジューリング／半静的伝送（ＳＰＳ／ＳＰＴ）サービスのデータパケットであり、前記データパケットが第一のスケジューリング割り当て（ＳＡ）情報を含み、前記第一のＳＡ情報が前記ＳＰＳ／ＳＰＴサービスの周期情報を含むことと、
前記第二のＤ２Ｄ装置が前記データパケットから前記第一のＳＡ情報を取得することと、
前記第二のＤ２Ｄ装置が前記第一のＳＡ情報から前記ＳＰＳ／ＳＰＴサービスの周期情報を取得することとを含む、装置間Ｄ２Ｄ通信方法。
【請求項９】
前記第一のＳＡ情報はさらに指示情報、又は、前記ＳＰＳ／ＳＰＴサービスのプロセスＩＤのうちの少なくとも一つを含み、前記指示情報が前記ＳＰＳ／ＳＰＴサービスの未伝送データに必要な伝送回数を示すことに用いられることを特徴とする
請求項８に記載の方法。
【請求項１０】
前記プロセスＩＤは前記第一のＤ２Ｄ装置によってランダムに生成されるものであることを特徴とする
請求項９に記載の方法。
【請求項１１】
前記第一のＳＡ情報内のリザーブ情報ビット、又は、前記周期情報又は前記指示指示情報の所在フィールドはリザーブ値を含み、前記リザーブ値が前記ＳＰＳ／ＳＰＴサービスを終止することを示すことに用いられることを特徴とする
請求項８乃至１０のいずれか一項に記載の方法。
【請求項１２】
前記データパケットの送信時点がｔであり、
前記方法はさらに、
前記第二のＤ２Ｄ装置が前記第一のＤ２Ｄ装置によって第一の時点に送信された第二のＳＡ情報を受信し、前記第一の時点が前記送信時点ｔの前のいずれかの時点であり、前記第二のＳＡ情報が前記第一のＤ２Ｄ装置が前記送信時点ｔに前記データパケットを送信しようとすることを示すことに用いられることを含むことを特徴とする
請求項８乃至１１のいずれか一項に記載の方法。
【請求項１３】
前記第一の時点がｔ−ａ時点であり、ａが前記送信時点ｔにデータを送信しようとする第一のＤ２Ｄ装置がリソースプール使用状況の検出を開始する時点であることを特徴とする
請求項１２に記載の方法。
【請求項１４】
前記周期情報に対応するビッドの値が０である場合、現在の伝送されているサービスが非ＳＰＳ／ＳＰＴサービスであることを示すことを特徴とする
請求項８乃至１３のいずれか一項に記載の方法。
【請求項１５】
装置間Ｄ２Ｄ装置であって、前記Ｄ２Ｄ装置は第一のＤ２Ｄ装置であり、
プロセッサと、
命令が記憶されるメモリとを含み、前記命令が前記プロセッサで実行される時に、前記プロセッサが請求項１乃至７のいずれか１項に記載の方法、又は請求項８乃至１４のいずれか１項に記載の方法を実行する、装置間Ｄ２Ｄ装置。
【国際調査報告】
2019519950.tif 000008
2019519950.tif 000009
2019519950.tif 000010
2019519950.tif 000011